(57)【要約】【課題】  サイズの異なる液晶テレビなどの薄型ディスプレイに対して、一種類の取り付け装置で対応することができ、しかも、薄型ディスプレイの横付け又は縦付けに対しても強固に取り付けることが可能となる薄型ディスプレイの取り付け装置を提供する。【解決手段】  薄型ディスプレイＡの背面に所定の間隔で平行状に固定する一対のアタッチメント２、２と、両側の上記アタッチメント２、２間に配置され、アタッチメント２、２に重ねる張り出し部１０、１０をアタッチメント２、２にボルト８で固定するベース金具３と、上記ベース金具３のケース部９に両側を嵌め合わせ、この嵌め合わせ部分をケース部９にボルト１５で固定するハンガーブラケット４からなり、上記ハンガーブラケット４の天板１２に吊り下げ用パイプ５の接続部が設けられている。【選択図】    図１
0003102924.tif 000002
【実用新案登録請求の範囲】
【請求項１】
薄型ディスプレイの背面に所定の間隔で平行状に固定する一対のアタッチメントと、両側の上記アタッチメント間に配置されるケース部の両側に、アタッチメントに重ねる張り出し部が設けられ、この張り出し部をアタッチメントにボルトで固定するベース金具と、上記ベース金具のケース部に両側を嵌め合わせ、この嵌め合わせ部分をケース部にボルトで固定するハンガーブラケットからなり、上記ハンガーブラケットに吊り下げ用パイプセットの接続部が設けられている薄型ディスプレイの取り付け装置。
【請求項２】
上記アタッチメントが、断面コ字状の形材を用い、この形材に薄型ディスプレイへの固定ボルトの挿通孔と、ベース金具の固定用ボルトのねじ孔とをそれぞれ複数個設けて形成されている請求項１に記載の薄型ディスプレイの取り付け装置。
【請求項３】
上記ベース金具の張り出し部が枠状に形成され、この張り出し部の上下平行部のそれぞれに、アタッチメントへの固定ボルトの挿通孔が、アタッチメントと直交する方向に複数設けられている請求項１又は２に記載の薄型ディスプレイの取り付け装置。
【請求項４】
上記ハンガーブラケットが、吊り下げ用パイプセットの接続部を設けた天板の両側に対向する側壁を設けてコ字状に形成され、両側壁にベース金具のケース部に両側から嵌め合わせる延長部が設けられ、この延長部の上部位置に、ケース部にボルトで固定するボルトの挿通切り欠き溝と、下部の位置に同ボルトを挿通する長孔とが設けられ、上記ベース金具の側面に、挿通切り欠き溝と長孔がそれぞれ一致するねじ孔が設けられている請求項１乃至３の何れかに記載の薄型ディスプレイの取り付け装置。
【考案の詳細な説明】
【技術分野】
【０００１】
この考案は、サイズやメーカの異なるプラズマテレビや液晶テレビ等の薄型ディスプレイであっても、一種類の取り付け装置で天井等に吊り下げ状に固定することができるようにした取り付け装置に関する。
【背景技術】
【０００２】
プラズマテレビ、液晶テレビ、液晶モニター等の薄型ディスプレイの設置は、スタンド、壁付け金具、吊り下げハンガーの何れかを採用されており、従来のスタンドは、両側に一対となる脚部を枠状のフレームで結合し、この枠状フレームの両側に薄型ディスプレイを支持する垂直支持部材を固定した構造になっている（例えば、特許文献１参照）。
【０００３】
また、テーブル等に取り付ける別のスタンドとしては、旋回アームの先端に第１の支持部材を回動可能に支持し、この第１の支持部材の前面に第２の支持部材を角度可変に取り付け、第２の支持部材に第３の支持部材を上下の位置調整可能に取り付け、この第３の支持部材に薄型ディスプレイを取り付ける取り付け部材を設けた構造になっている。
【０００４】
【特許文献１】特開２００３−１８６４１２号公報
【特許文献２】特開平１１−３３８５７６号公報
【考案の開示】
【考案が解決しようとする課題】
【０００５】
ところで、プラズマテレビや液晶テレビには、多くの画面サイズがあり、このため、従来は、各サイズごとの取り付け装置を用意するか、共通フレームを準備し、そこに金具を引っ掛けるなどで対応していたので、取り付け装置の種類が多くなり、管理が面倒で製作コストが高くつくと共に、引っかけ金具では、取り付け状態の安定性や、横付け、縦付けの取り付け方向の自由度に問題があった。
【０００６】
そこで、この考案の課題は、サイズの異なる薄型ディスプレイに対して、一種類の取り付け装置で対応することができ、しかも、薄型ディスプレイの横付け又は縦付けに対しても強固に取り付けることが可能となる薄型ディスプレイの取り付け装置を提供することにある。
【課題を解決するための手段】
【０００７】
上記のような課題を解決するため、この考案は、薄型ディスプレイの背面に所定の間隔で平行状に固定する一対のアタッチメントと、両側の上記アタッチメント間に配置されるケース部の両側に、アタッチメントに重ねる張り出し部が設けられ、この張り出し部をアタッチメントにボルトで固定するベース金具と、上記ベース金具のケース部に両側を嵌め合わせ、この嵌め合わせ部分をケース部にボルトで固定するハンガーブラケットからなり、上記ハンガーブラケットに吊り下げ用パイプセットの接続部が設けられている構成を採用したものである。
【０００８】
上記アタッチメントが、断面コ字状の形材を用い、この形材に薄型ディスプレイへの固定ボルトの挿通孔と、ベース金具の固定用ボルトのねじ孔とをそれぞれ複数個設けて形成されているようにしたり、上記ベース金具の張り出し部が枠状に形成され、この張り出し部の上下平行部のそれぞれに、アタッチメントへの固定ボルトの挿通孔が、アタッチメントと直交する方向に複数設けられているようにすることができる。
【０００９】
また、上記ハンガーブラケットが、吊り下げ用パイプセットの接続部を設けた天板の両側に対向する側壁を設けてコ字状に形成され、両側壁にベース金具のケース部に両側から嵌め合わせる延長部が設けられ、この延長部の上部位置に、ケース部にボルトで固定するボルトの挿通切り欠き溝と、下部の位置に同ボルトを挿通する長孔とが設けられ、上記ベース金具の側面に、挿通切り欠き溝と長孔がそれぞれ一致するねじ孔が設けられている構造とすることができる。
【００１０】
ここで、一対のアタッチメントは、薄型ディスプレイのサイズに合わせた間隔で薄型ディスプレイの背面にボルトで固定し、この両側アタッチメントに張り出し部で固定するベース金具は、張り出し部にアタッチメントへの固定ボルトの挿通孔が、アタッチメントと直交する方向に複数設けられているので、両側アタッチメントの配置間隔の変化に対応でき、これによって、サイズの異なる薄型ディスプレイに対してベース金具の固定が可能になる。
【００１１】
また、ハンガーブラケットの天板に設けた吊り下げ用パイプセットの接続部は、天板の中央部に吊り下げ用パイプの挿通孔を設けて形成され、この挿通孔に挿入した吊り下げ用パイプは、天板を上下から挟むように螺締めしたナットによってハンガーブラケットと固定される。
【００１２】
更に、ハンガーブラケットをベース金具に固定するには、ベース金具の側面で上部に設けたねじ孔にボルトを仮に螺合し、ハンガーブラケットの挿通切り欠き溝をこのボルトに引っかけ、下部に設けたねじ孔に挿通長孔を合わせ、挿通長孔からねじ孔にボルトをねじ込み、ハンガーブラケットの角度を調整した後、上下のボルトをしっかりと締め付けるようにする。
【考案の効果】
【００１３】
この考案によると、薄型ディスプレイの背面に所定の間隔で平行状に固定する一対のアタッチメントがその配置間隔を自由に設定でき、この両アタッチメント間にボルトで固定するベース金具を両側アタッチメントの配置間隔の変化に対応できるようにしたので、サイズの異なる薄型ディスプレイに対してベース金具の固定が可能になり、これによって、サイズの異なる薄型ディスプレイに対して、一種類の取り付け装置で対応することができ、取付け装置の種類を減らすことで経済的に有利となる。
【００１４】
また、一対のアタッチメントとこれに固定するベース金具は、縦横の取り付け方向に制限を受けないので、薄型ディスプレイの横付け又は縦付けに対しても強固に取り付けることが可能となる。
【００１５】
更に、アタッチメントに固定したベース金具にハンガーブラケットをボルトで固定し、ハンガーブラケットに吊り下げ用パイプセットの接続部を設けたので、薄型ディスプレイの吊り下げ状の配置が簡単な構造と組み立て操作で行えることになり、薄型ディスプレイの角度調整も可能になる。
【考案を実施するための最良の形態】
【００１６】
薄型ディスプレイの背面に所定の間隔で一対のアタッチメントを平行状に固定し、この両側アタッチメント間に固定したベース金具のケース部にハンガーブラケットの両側を嵌め合わせ、この嵌め合わせ部分をボルトで固定すると共に、上記ハンガーブラケットに吊り下げ用パイプセットの接続部が設けてある。
【実施例１】
【００１７】
図示のように、薄型ディスプレイの取り付け装置１は、薄型ディスプレイＡの背面に所定の間隔で平行状に固定する一対のアタッチメント２、２と、両側の上記アタッチメント２、２間に固定するベース金具３と、このベース金具３に固定するハンガーブラケット４からなり、上記ハンガーブラケット４に吊り下げ用パイプ５の接続部となる挿通孔６が設けられている。
【００１８】
上記アタッチメント２、２は、断面コ字状の金属製型材を用い、この型材に薄型ディスプレイＡへの固定ボルト７の挿通孔と、ベース金具３の固定用ボルト８のねじ孔とをそれぞれ複数個設けて形成されている。
【００１９】
上記ベース金具３は、金属板を用いて矩形上の箱に形成され、両側の上記アタッチメント２、２間に配置されるケース部９と、このケース部９の両側から相反する外方に突出する矩形の枠状に形成された張り出し部１０、１０とからなり、この張り出し部１０、１０の上下平行部のそれぞれに、アタッチメント２、２への固定ボルト８の挿通孔１１が、アタッチメント２と直交する方向に複数設けられ、アタッチメント２への固定時に、アタッチメント２の配置間隔の変化に対応することができるようになっている。
【００２０】
上記ハンガーブラケット４は、図４のように、金属板を用い、天板１２の両側に対向する側壁１３、１３を設けてコ字状に形成され、両側壁１３、１３にベース金具３のケース部９に両側から嵌め合わせるための延長部１４が突出するように設けられ、この延長部１４の突出側で上部位置に、内端が下向きに屈曲するＬ字状に形成され、ケース部９にボルト１５で固定するための挿通切り欠き溝１６と、下部位置に、上記挿通切り欠き溝１６の内端を中心とする円弧状となり、同様のボルト１５を挿通する長孔１７とが設けられている。
【００２１】
また、上記ベース金具３におけるケース部９の両側の側面には、延長部１４を外嵌した状態で上記挿通切り欠き溝１６及び長孔１７が一致する位置にそれぞれねじ孔１８、１９が設けられ、天板１２の中央部に吊り下げ用パイプ５の挿通孔６が設けられている。
【００２２】
なお、吊り下げ用パイプ５は、下端部に雄ねじ２０が形成され、挿通孔６に挿入した状態で天板１２の上下に位置するようナット２１、２２を螺合すると共に、下端には割りピン２３を挿通するようになっていると共に、ハンガーブラケット４の背面には、カバー２４をボルトで固定するようになっている。
【００２３】
この考案の薄型ディスプレイの取り付け装置は、上記のような構成であり、薄型ディスプレイＡを天井等に吊り下げ用パイプ５で吊り下げ状に取付けるには、先ず、図２のように、薄型ディスプレイＡの背面で両側の位置に、それぞれ複数ずつ並べて設けられた取り付け用ねじ孔の位置にアタッチメント２、２を重ね、取り付け用ねじ孔にボルト７をねじ込むことで、薄型ディスプレイＡの背面にアタッチメント２、２を平行状に固定する。
【００２４】
次に、図３のように、ベース金具３を薄型ディスプレイＡの背面に位置させ、両側の張り出し部１０、１０をアタッチメント２、２に重ね、アタッチメント２、２のねじ孔に挿通孔１１を位置合わせした状態で挿通孔１１からねじ孔にボルト８をねじ込み、アタッチメント２、２にベース金具３を固定し、このベース金具３におけるケース部９の両側の側面で上部のねじ孔１８にボルト１５を、適当な長さだけ残した状態でねじ込んでおく。
【００２５】
上記ベース金具３の張り出し部１０、１０には、アタッチメント２、２への固定ボルト８の挿通孔１１が、アタッチメント２と直交する方向に複数設けられているので、両側アタッチメント２、２の配置間隔の変化に対応でき、これによって、サイズの異なる薄型ディスプレイＡに対してベース金具３の固定が可能になる。
【００２６】
次に、ハンガーブラケット４を薄型ディスプレイＡの背面に位置させ、図６のように、ハンガーブラケット４の延長部１４をケース部９に外嵌状としながら、上部に位置する挿通切り欠き溝１６を上記ボルト１５に引っかけ、挿通切り欠き溝１６の内端をボルト１５の部分に位置させた状態で、延長部１４の下部に設けた長孔１７を、ケース部９の下部に位置するねじ孔１９に合わせ、長孔１７からねじ孔１９にボルト１５をねじ込み、ハンガーブラケット４の角度を調整した後、上下のボルト１５，１５をしっかりと締め付けるようにする。
【００２７】
この後、図７のように、吊り下げ用パイプ５の下端部に形成した雄ねじ２０に一つのナット２１を螺合し、この吊り下げ用パイプ５にハンガーブラケット４の挿通孔６を挿入し、吊り下げ用パイプ５の下端にナット２２を螺合し、天板１２の上下に位置するナット２１と２２で天板１２を上下から挟むように締め付けると共に、吊り下げ用パイプ５の下端には割りピン２３を挿通すれば、吊り下げ用パイプ５にハンガーブラケット４の固定が行え、最後にハンガーブラケット４の背面にカバー２４を固定すれば、天井に固定した吊り下げ用パイプ５に対する薄型ディスプレイＡの取付けが完了する。
【００２８】
上記のように、薄型ディスプレイＡの背面に固定する一対のアタッチメント２、２はその配置間隔を自由に設定でき、この両アタッチメント２、２間に固定ボルト８で固定するベース金具３が、両側アタッチメント２、２の配置間隔の変化に対応できるように、張り出し部１０、１０の上下平行部のそれぞれに、アタッチメント２、２への固定ボルト８の挿通孔１１を、アタッチメント２、２と直交する方向に複数設けてあるので、サイズの異なる薄型ディスプレイＡに対してベース金具３の固定が可能になり、これによって、サイズの異なる薄型ディスプレイＡに対して、一種類の取り付け装置１で吊り下げ状の取り付けが対応できることになる。
【００２９】
また、一対のアタッチメント２、２とこれに固定するベース金具３は、図示のような薄型ディスプレイＡの横の取り付け方向だけに制限を受けることがないので、薄型ディスプレイＡの縦付けに対しても強固に取り付けることが可能となる。
【図面の簡単な説明】
【００３０】
【図１】薄型ディスプレイと取り付け装置の分解斜視図
【図２】薄型ディスプレイにアタッチメントを取り付けた状態の斜視図
【図３】薄型ディスプレイにアタッチメントとベース金具を取り付けた状態の斜視図
【図４】ハンガーブラケットと吊り下げ用パイプの取り付け構造を示す分解斜視図
【図５】ハンガーブラケットと吊り下げ用パイプの取り付け状態を示す縦断側面図
【図６】（ａ）は薄型ディスプレイに取り付け装置を取り付けた斜視図、（ｂ）はベース金具にハンガーブラケットを取り付ける前の縦断側面図、（ｃ）はベース金具にハンガーブラケットを取付けた状態を示す縦断側面図
【図７】取り付け装置による薄型ディスプレイの吊り下げ用パイプへの取付け完了の状態を示す斜視図
【符号の説明】
【００３１】
１      取り付け装置
２      アタッチメント
３      ベース金具
４      ハンガーブラケット
５      吊り下げ用パイプ
６      挿通孔
７      固定ボルト
８      固定用ボルト
９      ケース部
１０    張り出し部
１１    挿通孔
１２    天板
１３    側壁
１４    延長部
１５    ボルト
１６    挿通切り欠き溝
１７    長孔
１８    ねじ孔
１９    ねじ孔
２０    雄ねじ
２１    ナット
２２    ナット
２３    割りピン
２４    カバー
【図１】
0003102924.tif 000003
【図２】
0003102924.tif 000004
【図３】
0003102924.tif 000005
【図４】
0003102924.tif 000006
【図５】
0003102924.tif 000007
【図６】
0003102924.tif 000008
【図７】
0003102924.tif 000009